【手続補正書】
【提出日】平成17年5月25日(2005.5.25)
【手続補正１】
【補正対象書類名】明細書
【補正対象項目名】特許請求の範囲
【補正方法】変更
【補正の内容】
【特許請求の範囲】
【請求項１】
データを記憶するメモリ部と、画像を表示する表示部と、前記メモリ部及び前記表示部を制御する制御部とを有する携帯端末であって、
前記表示部は、
前記制御部からの制御により前記メモリ部から送信された画像を記憶する画像用記憶部と、
前記画像用記憶部に記憶された画像を読み出し、出力するドライバ部と、
前記ドライバ部から出力された画像を表示する縦長の表示パネルとを有し、
前記画像用記憶部は、前記表示パネルの表示データ容量よりも大きいデータ容量を記憶可能で、
前記ドライバ部は、前記画像用記憶部に横長の画像が記憶された場合、前記横長の画像を回転させ、前記表示パネルに表示させることを特徴とする携帯端末。
【請求項２】
データを記憶するメモリ部と、画像を表示する表示部と、前記メモリ部及び前記表示部を制御する制御部とを有する携帯端末であって、
前記表示部は、
前記制御部からの制御により前記メモリ部から送信された画像を記憶する画像用記憶部と、
前記画像用記憶部に記憶された画像を読み出し、出力するドライバ部と、
前記ドライバ部から出力された画像を表示する横長の表示パネルとを有し、
前記画像用記憶部は、前記表示パネルの表示データ容量よりも大きいデータ容量を記憶可能で、
前記ドライバ部は、前記画像用記憶部に縦長の画像が記憶された場合、前記縦長の画像を回転させ、前記表示パネルに表示させることを特徴とする携帯端末。
【請求項３】
第１の筐体と第２の筐体とがヒンジ部で折り畳み可能に接続された携帯端末であって、
前記第１の筐体は、折り畳まれていない開いた状態で視認可能な画像を表示する第１の表示部と、前記第１の表示部より画面が小さい第２の表示部とを有し、
前記第２の筐体は、データを記憶するメモリ部と、前記メモリ部、前記第１及び第２の表示部を制御する制御部とを有する携帯端末であり、
前記第２の表示部は、
前記制御部からの制御により前記メモリ部から送信された画像を記憶する画像用記憶部と、
前記画像用記憶部に記憶された画像を読み出し、出力するドライバ部と、
前記ドライバ部から出力された画像を表示する縦長の表示パネルとを有し、
前記画像用記憶部は、前記表示パネルの表示データ容量よりも大きいデータ容量を記憶可能で、
前記ドライバ部は、前記画像用記憶部に横長の画像が記憶された場合、前記横長の画像を回転させ、前記表示パネルに表示させることを特徴とする携帯端末。
【請求項４】
第１の筐体と第２の筐体とがヒンジ部で折り畳み可能に接続された携帯端末であって、
前記第１の筐体は、折り畳まれていない開いた状態で視認可能な画像を表示する第１の表示部と、前記第１の表示部より画面が小さい第２の表示部とを有し、
前記第２の筐体は、データを記憶するメモリ部と、前記メモリ部、前記第１及び第２の表示部を制御する制御部とを有する携帯端末であり、
前記第２の表示部は、
前記制御部からの制御により前記メモリ部から送信された画像を記憶する画像用記憶部と、
前記画像用記憶部に記憶された画像を読み出し、出力するドライバ部と、
前記ドライバ部から出力された画像を表示する横長の表示パネルとを有し、
前記画像用記憶部は、前記表示パネルの表示データ容量よりも大きいデータ容量を記憶可能で、
前記ドライバ部は、前記画像用記憶部に縦長の画像が記憶された場合、前記縦長の画像を回転させ、前記表示パネルに表示させることを特徴とする携帯端末。
【請求項５】
請求項１乃至４のいずれかに記載の携帯端末であって、
前記画像用記憶部は、記憶できる短辺方向の画素数が前記表示パネルの長辺方向の画素数以上であることを特徴とする携帯端末。
【請求項６】
請求項１乃至４のいずれかに記載の携帯端末であって、
前記ドライバ部は、前記画像用記憶部より画像を読み出した後、前記画像を回転させ、前記表示パネルに表示させることを特徴とする携帯端末。
【請求項７】
請求項６に記載の携帯端末であって、
前記画像用記憶部に画像を横一列分の画像を書き込み、前記横一列分の画像を前記ドライバ部が読み出した後、前記画像を回転させ、前記表示パネルに表示することを特徴とする携帯端末。
【請求項８】
請求項１乃至４のいずれかに記載の携帯端末であって、
前記前記ドライバ部は、前記画像用記憶部より画像を読み出す際、前記画像を回転させて読み出し、前記表示パネルに表示させることを特徴とする携帯端末。
【請求項９】
画像を表示する表示パネルを有する携帯端末であって、
前記表示パネルの表示データ容量よりも大きいデータ容量を記憶できる表示用記憶部と、
前記表示用記憶部に前記表示パネルの長手方向と異なる長手方向の画像が書き込まれた場合、前記表示用記憶部に記憶された画像を読み出した後、前記表示パネルの長手方向に合わせるように前記画像データを回転させて前記表示パネルに表示させるドライバ部と、
を有することを特徴とする携帯端末。
【請求項１０】
第１の筐体と第２の筐体とが接続部で折り畳み可能に接続された携帯端末であって、
前記接続部は、折り畳み回転の中心軸に対して垂直な中心軸となる回転が可能な構造であり、
前記接続部は、折り畳み回転の中心軸に沿った前記筐体の端に設けられたことを特徴とする携帯端末。
【請求項１１】
撮像部と、表示部と、制御部とを有する携帯端末であって、
前記撮像部と前記表示部と前記制御部とを接続するデータバスと、
前記撮像部と前記表示部とを接続し、前記データバスとは異なる画像表示専用バスと、を有することを特徴とする携帯端末。
【請求項１２】
請求項１１に記載の携帯端末であって、
前記撮像部は、映像を受光するセンサ部と、前記センサ部で受光したアナログデータをデジタルデータに変換するアナログデジタル変換部と、前記アナログデジタル変換部より出力された画像データをYUVフォーマット変換する信号処理部と、前記信号処理部でYUVフォーマットに変換された画像データを前記データバスへ出力するバスI/Fと、前記信号処理部でYUVフォーマットに変換された画像データをRGBデータへ変換するRGBデータ変換部と、前記RGBデータ変換部で変換されたRGBデータを前記画像表示専用バスへ出力するRGBI/Fと、を有することを特徴とする携帯端末。
【請求項１３】
撮像部と表示部を有する携帯端末であって、
前記表示部は、画像データを記憶する画像用記憶部と、前記画像用記憶部で記憶された画像を読み出すドライバ部と、前記ドライバ部から出力された画像を表示する表示パネルと、前記画像用記憶部と前記ドライバ部を制御する表示制御部と、を有し、
前記画像用記憶部は、前記表示パネルの表示データ容量よりも大きいデータ容量を記憶可能で、
前記表示制御部は、前記画像用記憶部に記憶されている画像データから被写体を検知し、被写体が前記表示パネルの中央に表示されるよう、前記ドライバ部の読み出しを制御することを特徴とする携帯端末。
【請求項１４】
請求項３又は４に記載の携帯端末であって、
前記画像用記憶部は、前記第１の表示部の表示パネルの表示データ容量よりも大きいデータ容量を記憶できることを特徴とする携帯端末。
【請求項１５】
画像を表示する表示パネルを有する表示装置であって、
前記表示パネルの表示データ容量よりも大きいデータ容量を記憶できる表示用記憶部と、
前記表示用記憶部に前記表示パネルの長手方向と異なる長手方向の画像が書き込まれた場合、前記表示用記憶部に記憶された画像を読み出した後、前記表示パネルの長手方向に合わせるように前記画像データを回転させて前記表示パネルに表示させるドライバ部と、
を有することを特徴とする表示装置。
【請求項１６】
データを記憶するメモリ部と、情報を表示する表示部と、前記メモリ部及び前記表示部を制御する制御部とを有する携帯端末であって、
前記表示部は、
前記制御部からの制御により前記メモリ部から送信された情報を記憶する情報記憶部と、
前記情報記憶部に記憶された情報を読み出し、出力するドライバ部と、
前記ドライバ部から出力された情報を表示する縦長の表示パネルとを有し、
前記情報記憶部は、前記表示パネルの表示データ容量よりも大きいデータ容量を記憶可能で、
前記ドライバ部は、前記情報記憶部に横長の情報が記憶された場合、前記横長の情報を回転させ、前記表示パネルに表示させることを特徴とする携帯端末。
【請求項１７】
データを記憶するメモリ部と、情報を表示する表示部と、前記メモリ部及び前記表示部を制御する制御部とを有する携帯端末であって、
前記表示部は、
前記制御部からの制御により前記メモリ部から送信された情報を記憶する情報記憶部と、
前記情報記憶部に記憶された情報を読み出し、出力するドライバ部と、
前記ドライバ部から出力された情報を表示する横長の表示パネルとを有し、
前記情報記憶部は、前記表示パネルの表示データ容量よりも大きいデータ容量を記憶可能で、
前記ドライバ部は、前記情報記憶部に縦長の情報が記憶された場合、前記縦長の情報を回転させ、前記表示パネルに表示させることを特徴とする携帯端末。
【請求項１８】
請求項１１に記載の携帯端末はメモリ部を備え、
前記撮像部により撮影された画像を前記表示部により表示する場合には、前記画像を前記画像表示専用バスを介して前記表示部に送信し、
前記撮像部により撮影された画像を前記メモリ部に保存する場合には、前記画像を前記データバスを介して前記制御部に送信することを特徴とする携帯端末。